(57)【要約】【課題】本発明は、高電圧機器の保守・点検を行う際の作業性を向上させることを目的としている。【解決手段】このため、高電圧機器と、高電圧機器と外部機器とを電気的に接続する高電圧ケーブルと、高電圧機器と高電圧ケーブルとを結合する固定部材と、高電圧機器と高電圧ケーブルとが正常に結合されているかどうかを検出する結合検出手段と、結合検出手段により正常であると検出された場合のみ電流が流れる機能とを備えた高電圧インターロック装置において、固定部材により高電圧機器と高電圧ケーブルとの結合が完了した場合にのみ、結合検出手段は正常に結合していることを検出する。【選択図】図１
2014093896.tif 000002
【特許請求の範囲】
【請求項１】
高電圧機器と、この高電圧機器と外部機器とを電気的に接続する高電圧ケーブルと、前記高電圧機器と前記高電圧ケーブルとを結合する固定部材と、前記高電圧機器と前記高電圧ケーブルとが正常に結合されているかどうかを検出する結合検出手段と、この結合検出手段により正常であると検出された場合のみ電流が流れる機能とを備えた高電圧インターロック装置において、前記固定部材により前記高電圧機器と前記高電圧ケーブルとの結合が完了した場合にのみ、前記結合検出手段は正常に結合していることを検出することを特徴とする高電圧インターロック装置。
【請求項２】
前記固定部材の先端が前記結合検出手段に接触することにより、前記結合検出手段は正常に結合していることを検出することを特徴とする請求項１に記載の高電圧インターロック装置。
【発明の詳細な説明】
【技術分野】
【０００１】
この発明は高電圧インターロック装置に係り、特に高電圧機器の保守・点検を行う際の作業性の向上を図る高電圧インターロック装置に関するものである。
【背景技術】
【０００２】
高電圧機器と高電圧ケーブルとを固定部材を使用して結合する高電圧コネクタには、結合状態を検知するＨＶｌＬ（「ハイ・ボルテージ・インターロック（Ｈｉｇｈ  Ｖｏｌｔａｇｅ  ｌｎｔｅｒＬｏｃｋ）」ともいう。）が備わっている場合が多い。
そのため、ＨＶｌＬの設置分だけ高電圧コネクタが大きくなっている。
このＨＶｌＬの機能を、高電圧コネクタ内に設ける構成ではなく、前記高電圧機器側の端子締め付け台に設ける構成とすれば、高電圧コネクタの小型化や性能向上を図ることが可能である。
また、以下の特許文献１においては、高電圧機器であるインバータユニットにコネクタを介してフロントモータジェネレータなどを接続する構成が開示されている。
更に、以下の特許文献２においては、コネクタ自体にＨＶｌＬ機能を持たせた構成が開示されている。
【先行技術文献】
【特許文献】
【０００３】
【特許文献１】特開２００５−２９４２１５号公報
【特許文献２】特開２０１０−５６０８８号公報
【発明の概要】
【発明が解決しようとする課題】
【０００４】
ところで、従来のハイブリット車両（「ＨＥＶ」ともいう。）や電気自動車（「ＥＶ」ともいう。）においては、インバータやモータ等の高電圧機器類を接続する高電圧コネクタが備えられている。
つまり、図４に示す如く、インバータ１０１ａやモータ１０１ｂ等の高電圧機器１０１と電源などの外部機器（図示せず）とを電気的に接続する高電圧ケーブル１０２とを備えている。
このとき、この高電圧ケーブル１０２は、高電圧コネクタ１０３によってインバータ１０１ａやモータ１０１ｂ等の高電圧機器１０１に接続される。
そして、前記高電圧コネクタ１０３によって接続される高電圧ケーブル１０２には、電流が多く流れるため、端子固定用ボルトからなる固定部材１０４による端子締め付け接続構造が多く採用されている。
なお、前記高電圧コネクタ１０３にはＨＶＩＬ１２１が設けられているため、高電圧コネクタ１０３が正常に結合していないと高電圧がかからないようになっている。
【０００５】
このとき、前記高電圧コネクタ１０３の正常な結合を検知するために、図５及び図６に示す如く、高電圧コネクタ１０３側にＨＶＩＬ１２１用の別のコネクタ１２２が設けられており、このコネクタ１２２内部でループするＨＶＩＬ１２１用のショートピン１２３が設定される。
このため、ショートピン１２３を設けたことによって、前記高電圧コネクタ１０３が大きくなってしまうという不都合がある。
また、前記ＨＶＩＬ１２１が前記高電圧コネクタ１０３に結合してしまうと、端子が固定されていなくても電流が流れてしまうという不都合もある。
このため、ＨＶｌＬの機能を前記高電圧機器の端子接続部側に設け、高電圧コネクタの小型化及び作業性を向上する改善などが切望されていた。
【０００６】
この発明は、高電圧機器の保守・点検を行う際の作業性を向上させることを目的とする。
【課題を解決するための手段】
【０００７】
そこで、この発明は、上述不都合を除去するために、高電圧機器と、この高電圧機器と外部機器とを電気的に接続する高電圧ケーブルと、前記高電圧機器と前記高電圧ケーブルとを結合する固定部材と、前記高電圧機器と前記高電圧ケーブルとが正常に結合されているかどうかを検出する結合検出手段と、この結合検出手段により正常であると検出された場合のみ電流が流れる機能とを備えた高電圧インターロック装置において、前記固定部材により前記高電圧機器と前記高電圧ケーブルとの結合が完了した場合にのみ、前記結合検出手段は正常に結合していることを検出する
ことを特徴とする。
【発明の効果】
【０００８】
この発明によれば、固定部材の結合が完了しない限り高電圧がかからないため、高電圧の保守・点検を行う際の作業性が向上する。
【図面の簡単な説明】
【０００９】
【図１】図１は固定部材の結合後の状態を示す概略説明図である。（実施例）
【図２】図２は高電圧機器への配置状態を示す概略断面図である。（実施例）
【図３】図３は固定部材の結合前の状態を示す概略説明図である。（実施例）
【図４】図４はこの発明の従来技術を示す高電圧インターロック装置の接続状態を示す概略斜視図である。
【図５】図５は固定部材の結合前の状態を示す概略説明図である。
【図６】図６は固定部材の結合後の状態を示す概略説明図である。
【発明を実施するための形態】
【００１０】
以下図面に基づいてこの発明の実施例を詳細に説明する。
【実施例】
【００１１】
図１〜図３はこの発明の実施例を示すものである。
図２において、１は高電圧インターロック装置におけるインバータやモータやジェネレータ等の高電圧ユニット、例えばインバータからなる高電圧機器である。
この高電圧機器１は、図示しない外部機器と高電圧ケーブル２によって電気的に接続する。
そして、前記高電圧機器１と前記高電圧ケーブル２とを高電圧コネクタ３により接続する。
このとき、前記高電圧機器１に高電圧コネクタ３を接続する際に、端子固定用ボルトからなる固定部材４とによって結合している。
また、前記高電圧機器１と前記高電圧ケーブル２とが正常に結合されているかどうかを検出する結合検出手段５を設け、この結合検出手段５により正常であると検出された場合のみ電流が流れる機能を備えている。
【００１２】
そして、前記固定部材４により前記高電圧機器１と前記高電圧ケーブル２との結合が完了した場合にのみ、前記結合検出手段５が正常に結合していることを検出する機能を備えている。
詳述すれば、前記高電圧機器１の接続部位には、図１及び図３に示す如く、前記高電圧コネクタ３から前記高電圧機器１の内側方向に延びるように形成した端子６を載せる端子台７を設ける。
そして、この端子台７上に端子６を載せて前記固定部材４によって固定し、前記高電圧機器１と前記高電圧コネクタ３とを結合して高電圧機器１に前記高電圧ケーブル２を結合する。
また、前記結合検出手段５は、固定側の第１結合検出端子部８と、可動側の第２結合検出端子部９と、バネ１０とを備えている。
前記第１結合検出端子部８は、前記端子台７の下側に固定される。
前記第２結合検出端子部９は、前記第１結合検出端子部８に対峙し、かつ、前記端子台７と第１結合検出端子部８との間に配設されて第１結合検出端子部８に対して接離方向に移動する。
前記バネ１０は、前記第２結合検出端子部９を前記第１結合検出端子部８から離間させ、前記端子台７の下面に押圧するように付勢する付勢力を有する。
このとき、前記第１結合検出端子部８と前記第２結合検出端子部９とによって結合検出回路１１を構成している。
そして、前記固定部材４による結合が完了した際には、前記第１結合検出端子部８と前記第２結合検出端子部９との接触によって前記結合検出回路１１をクローズさせ、前記結合検出手段５は前記固定部材４が正常に結合したことを検出する。
このため、前記固定部材４の結合が完了しない限り、前記結合検出回路１１がクローズされることはなく、結合検出回路１１によって高電圧がかからないため、高電圧の保守・点検を行う際の作業性を向上させている。
【００１３】
また、前記固定部材４の先端４ａが前記結合検出手段５に接触することにより、前記結合検出手段５は正常に結合していることを検出する機能をも備えている。
つまり、前記結合検出手段５の可動側の第２結合検出端子部９に連絡腕部１２を設け、この連絡腕部１２の上面側に前記固定部材４の先端４ａを位置させる一方、連絡腕部１２の下面には前記バネ１０を配置する。
さすれば、前記固定部材４によって結合する前は、図３に示す如く、固定部材４の先端４ａが前記結合検出手段５の第２結合検出端子部９に設けた連絡腕部１２に接触することはない。
また、前記バネ１０の付勢力によって連絡腕部１２が前記端子台７の下面に押圧されて前記第１結合検出端子部８と前記第２結合検出端子部９とが接触せず、前記結合検出回路１１がオープンしている。
このため、前記結合検出手段５は前記固定部材４が正常に結合されていないことを検出する。
前記固定部材４によって結合させる際には、前記固定部材４の先端４ａを前記端子台７側に押し込み、固定部材４の先端４ａを前記接続腕部１２の上面に接触させる。
そして、前記連絡腕部１２を、図１に示す如く、前記バネ１０の付勢力に抗して、固定部材４の先端４ａによって押下し、前記結合検出手段５の前記第２結合検出端子部９を前記第１結合検出端子部８に接近するように移動させ、この第１結合検出端子部８に前記第２結合検出端子部９を接触させると、前記結合検出回路１１がクローズする。
この結合検出回路１１がクローズすることによって、前記結合検出手段５は前記固定部材４が正常に結合していることを検出する。
このため、前記固定部材４の結合完了を検知できることにより、前記固定部材４による結合が不完全である時に通電することを回避し信頼性が向上する。
【符号の説明】
【００１４】
１  高電圧機器
２  高電圧ケーブル
３  高電圧コネクタ
４  固定部材
４ａ  先端
５  結合検出手段
６  端子
７  端子台
８  第１結合検出端子部
９  第２結合検出端子部
１０  バネ
１１  結合検出回路
１２  連絡腕部
【図１】
2014093896.tif 000003
【図２】
2014093896.tif 000004
【図３】
2014093896.tif 000005
【図４】
2014093896.tif 000006
【図５】
2014093896.tif 000007
【図６】
2014093896.tif 000008